(57)【要約】      （修正有）【課題】風に強度が強く、雨水で背中や足の後ろが濡れることがなく、日傘としても外形デザイン性豊かな傘を提供する。【解決手段】上ろくろと上はじき間に新たに中ろくろを追加した。受け骨中心部分長さ方向に強化受け骨がスライド移動できる開口部分を施した。開口部分に傘の外形デザインに基づき１本１本長さが異なっていてもよい強化受け骨を通し、中ろくろと親骨露先との２ヶ所でだぼした。玉留めは傘の色々と異なった外形デザインに合った玉留めにする。【選択図】図１
2006116257.tif 000002
【特許請求の範囲】
【請求項１】
上ろくろ、上はじき、下ろくろ、下はじき、玉留め、手元が設けられた傘において、上ろくろと上はじき間に新たに中ろくろを追加組み入れした。追加組み入れした位置が特に重要である。
【請求項２】
外形デザインに基づき１本１本長さが異なっていてもよい複数本の強化受け骨、両端の一方端を新たに追加組み入れした中ろくろにだぼして、残りの一方端を親骨露先にだぼする。
【請求項３】
受け骨中心長さ方向に開口部分を施した。この開口部分は、傘を開閉する時、強化受け骨がスイライド移動するために必要な空間である。
【請求項４】
外形デザインに基づき傘を閉じた時、親骨がバラバラにならないためにデザイン玉留めを装着する。
【発明の詳細な説明】
【技術分野】
【０００１】  上ろくろ、上はじき、下ろくろ、下はじき、玉留め、手元が設けられた傘において、風、雨、おしゃれな外形デザイン日傘等全ての面で構造的に強度を増すためと、傘からの雨水に濡れないためと、おしゃれなデザイン傘にするために、上ろくろと上はじき間に新たに中ろくろを追加した。傘を閉じた時、下ろくろは、下はじきに確保されて、中ろくろは上ろくろ方向に逆移動する構造である。【０００２】  次に受け骨中心長さ方向に開口部分を施した。この開口部分は、傘開閉時に、強化受け骨がスイライド移動するために必要な空間である。この開口部分に、外形デザインに基づき１本１本長さが異なっていてもよい複数本の強化受け骨を、受け骨１本に強化受け骨１本を通して、新たに追加した中ろくろと、親骨露先との２ヶ所でだぼしている。傘を閉じる時、強化受け骨は、親骨方向にスライド移動して閉じられる構造である。【０００３】  外形デザインに基づき強化受け骨の長さが１本１本異なっていてもよい。【０００４】  外形デザイン基づき親骨露先がバラバラにならないようにデザイン玉留めで留める構造にしたデザイン傘に関する。〔背景技術〕【０００５】    〔特許文献１〕  特開  ２００２−３０６２１９  上ろくろ、上はじき、下ろくろ、下はじき、玉留め、手元が設けられた傘で、風に対して強度を増すために受け骨と強化受け骨が使用されており、受け骨と強化受け骨は共に一端を下ろくろにだぼしている。受け骨の残りの一端は親骨の長さの約半分の位置でだぼされており、強化受け骨の残りの一端は親骨露先に傘の開閉時、受け骨がスライド移動できるような支持具によって支持されている。【０００６】    〔非特許文献１〕  上ろくろ、下ろくろ、上はじき、下はじき、玉留め、手元が設けられた傘で、受け骨と親骨は親骨長さの約半分の位置でだぼされている。                    発行社名    ＩＮＡＸ出版                    出版本名    イナックスブックレットシリーズ傘３ページ                    発行日      １９９５年０９月０５日                    出版社住所  東京都中央区京橋３−６−１８                    ＴＥＬ      ０３−５２５０−６５５６【０００７】特許文献１の傘に関して  風に対して、強度を増すために下ろくろに受け骨の一端と強化受け骨の一端がだぼされている。受け骨の残りの一端は親骨の長さの約半分の位置でだぼされており、強化受け骨は、親骨露先で支持されております。支持の方法はだぼすると傘が閉じられないから受け骨がスライド移動するように工夫された部品によって支持されております。しかしながら、この構造で傘を閉じた時、下ろくろは下はじきに確保されますが、強化受け骨の一端は下ろくろから下方に手元を通り越して下ろくろから強化受け骨の長さ分だけ下の位置にくるから、傘全体の長さが長くなる欠点を生じている。又この位置まで中棒を長くして玉留めした場合、今度は傘を開いて使用する時手元を持って傘をさすと、傘の位置が高すぎて傘の役目を果たさない欠点が生じる。【０００８】  雨に対して、傘をさす時は手で持つ、または自転車のハンドルに固定して使用するため身体の中心より傘の中心が約３０センチメートル前方になる。そのため傘から落ちてくる雨水で背中や足の後ろが濡れる欠点を有しておる。【０００９】  ���傘として、傘のデザインが貧弱である。【００１０】非特許文献の傘に関して  風に対して、強風にあおられ受け骨と親骨をだぼした部分で親骨が折れ曲がったり逆傘に変形する欠点がある。【００１１】  雨に対して、傘をさす時は手で持つ、または自転車のハンドルに固定して使用するため身体の中心より傘の中心が約３０センチメートル前方になる。そのため傘から落ちてくる雨水で背中や足の後ろが濡れる欠点がある。【００１２】  日傘として、傘のデザインが貧弱である。〔課題を解決するための手段〕【００１３】  楕円形傘の図をもって説明する。傘の強度を増すために新たに中ろくろ図１のｂを追加組み入れした。組み入れする位置が特に重要で、その位置は、上ろくろ図１のａと上はじき図１のｍ間でなければならない。【００１４】  受け骨中心部分長さ方向図１の矢印方向に開口部分を施した。下ろくろ図１のｃと親骨図１の１７ｆとの２ヶ所でだぼした。【００１５】  強化受け骨図１の１は、傘の外形デザインに基づき１本１本の長さが異なっていてもよい複数本１組を追加した。中ろくろ図１のｂと親骨露先図１の１ｅと２ヶ所でだぼした。【００１６】  玉留め図１のｋの形状は、傘を閉じた時、傘の外形デザインに基づき親骨露先１本１本図３の１ｅから８ｅが中棒に接した時くる位置によって形状を決定する。【００１７】  中棒図１のｄの長さは親骨の一番長い長さ図４の１ｅの露先で決定する。【００１８】  受け骨図１の１７は下ろくろ図１のｃと親骨図１の１７ｆとの２ヶ所でだぼしている。強化受け骨図１の１を受け骨図２の斜線部分である開口部分に通して、強化受け骨図１の１と受け骨図１の１７を図１のように組み、強化受け骨一方端を図１のｂ追加組み入れした中ろくろにだぼして、残りの一方端を親骨露先図１のｅにだぼする。更に強化受け骨図１の１は受け骨図２の斜線部分である開口部分を図１の矢印方向に傘を開くときは、中棒側にスライド移動して、閉めるときは、親骨側にスライド移動する。この時、下ろくろと中ろくろは逆方向に移動して、下ろくろは下はじきに確保され中ろくろは上ろくろ方向に移動する。閉めたときの玉留め形状は傘の外形デザインに基づき親骨露先１本１本の位置によって異なった形状になる。中棒の長さは、親骨の長さの一番長い露先の位置、傘を閉めた時図１の１ｅが中棒図１のｄと接触した位置で決定する。この新構造が本発明の傘である。〔実施例〕【００１９】  簡易実施例として、２本の同じ傘を用意して１本を解体した。解体しないほうの傘の中ろくろを組み入れ強化受け骨の一方端を針金でだぼした。残りの一方端を親骨露先に糸で頑丈にだぼした。傘を開けて触ってみると著しく強度が増している。〔産業上の利用可能性〕  風雨の強い日は強度の強い傘として、降水量の多い日は背中や足の後ろが濡れない楕円形の傘を使用して、晴れた日はファッション日傘として、いろいろな異形のおしゃれなデザイン傘が楽しめて、利用方法が増す。〔発明の効果〕【００２０】  風に対して、受け骨強化受け骨共に全ての受け骨両端がだぼされているから強度が強い。【００２１】  雨に対して、強度は満たされている楕円形傘を使用すれば傘から落ちてくる雨水で背中や足の後ろが濡れにくくなる。【００２２】  日傘として、強度が強く色々と形が変わった異形のデザイン傘が楽しめる。【００２３】  傘の利用度が増す。【００２４】  施工方法、施工技術については現在までの知識で十分補える。
【図面の簡単な説明】
【００２５】
【図１】本発明一部拡大図
【図２】図１、中心部分長さ方向に開口部分を施した本発明受け骨Ａ−Ａ断面図
【図３】本発明強化受け骨を使用した楕円形傘正面図
【図４】本発明強化受け骨を使用した楕円形傘平面図
【符号の説明】
【００２６】９、１０、１１、１２、１３、１４、１５、１６  親骨ａ  親骨をだぼしている上ろくろ１、２、３、４、５、６、７、８  本発明強化受け骨ｂ  新たに組み入れた本発明中ろくろと本発明強化受け骨一端をだぼした部分１ｅ，２ｅ，３ｅ，４ｅ，５ｅ，６ｅ，７ｅ，８ｅ  親骨露先と本発明強化受け骨残り一端をだぼした部分１７、１８、１９、２０、２１、２２、２３、２４  中心部分長さ方向に開口部分を施した本発明受け骨ｃ  下ろくろと本発明開口部分を施した受け骨をだぼした部分ｇ  親骨と本発明開口部分を施した受け骨がだぼされる位置を示す円線１７ｆ、１８ｆ、１９ｆ、２０ｆ、２１ｆ、２２ｆ、２３ｆ、２４ｆ  親骨と本発明開口部分を施した受け骨をだぼした部分斜線部分  本発明開口部分を施した受け骨図１、Ａ−Ａ断面図の開口部分ｄ  中棒ｍ  上はじきｈ  下はじきｋ  デザイン玉留ｎ  傘手元
【図１】
2006116257.tif 000003
【図２】
2006116257.tif 000004
【図３】
2006116257.tif 000005
【図４】
2006116257.tif 000006